(57)【要約】      （修正有）【課題】ヒートアイランド現象の対策は喫緊の課題となっていることから、人工排熱の冷暖房空冷型屋外器から出される排気熱を不要とし、総合機能（冷暖房・省エネルギー・消臭・有害物質の除去等）を併せ持つ、ナノ微細粒子水高機能空調システムを提供する。【解決手段】本発明のナノ微細粒子水高機能空調システムは冷暖房・加湿器・空気浄化・換気に代わる機能等を１台に機能統合した装置である。且つ、冷暖房屋外機を本装置に設置し、屋外への人工排熱を不要とする。また、本発明装置のナノ微細粒子水高機能空調システムは、ナノ微細粒子水１ｎｍ〜１０μｍ口径の特徴である臨界状態特性・熱特性・熱収支特性・物理特性等から特に冷房効果の高いエネルギー（蒸発潜熱及び臨界状態と同様の蒸発エネルギー）が得られる。空気浄化回収装置は所定空間に発生する粉塵・細菌・臭気・ＣＯ・ＣＯ２等の微細汚染物質を補足吸着し汚染水として除去する。【選択図】なし【特許請求の範囲】
【請求項１】
本発明装置は、従来の空調装置等は機能毎に分散され、機能毎に機器を設置していることが実情である。それは、冷暖房機・加湿器・空気浄化・換気装置等々の機能である。また、省エネルギーの点からは、上記記載の各機能が分散していることは、総合的に多くの無駄なエネルギーが消費されることになっている。また、現状の空調装置に多くの消費エネルギー損失が発生している、これは上下の大きな温度差が発生し居住空間に影響の受けない天井空間に多くの空調エネルギーロスが発生している。最後の点は、上記３項目の多くの課題を残していながら、過大な冷暖房空冷型屋外機を設けている。これが人工排熱の大きな要因と言われている。本発明のナノ微細粒子水高機能空調システムは冷暖房・加湿器・空気浄化・換気に代わる機能等々を１台に機能統合した装置である。且つ、冷暖房屋外器を本発明装置に構築設置し、屋外空間への人工排熱を不要とする、そして従来比空調エネルギーを▲６０〜７５％削減することを可能とすること、及び、本発明装置は機能毎に４段にて構成し、その１段の寸法は４５０ｍｍの立方体である（高さは約１．９ｍ）。これは、病院、福祉、店舗、コンビニ、ホテル、オフイス等々に容易に設置できる大きさであることを特徴とする。
【請求項２】
本発明装置のナノ微細粒子水高機能空調システムは冷却コイルユニット２．空気浄化回収装置７．冷凍機排熱冷却水槽装置２８．冷凍機２４．給水タンク２２．等を備えたユニット筺体とする。冷却コイルユニット２．は冷凍機蒸発コイル４．給気ファン３．を内蔵する。また、空気浄化回収装置７．は空気取入れファン８．空気吸込み室兼噴霧室９．空気浄化室１１．汚染空気沈殿槽１０．を形成し、また冷凍機排熱冷却水槽装置２８．は冷媒配管高圧側排熱が出る冷凍機凝縮コイル２９．と冷却水槽３３．からなる装置を形成している。空気浄化回収装置７．はナノ微細粒子水を空気吸込み室兼噴霧室９．に第１ノズル１７．第１給水管１９．被衝突球体１８．にて構成し、該ナノ微細粒子水を生成している。室内汚染空気３２．は上記ナノ微細粒子水と共に、空気流通路１５．空気流通制御用ベンチュリー隔壁１２ａ．１３ｂ及び空気制御用中間隔壁１４．空気浄化室１１．を蛇行しながら該空間を経由し、空気は清浄化される。そして空気に含有する汚染物質は汚染空気沈殿槽１０．に汚染粒子水と共に溶解沈殿する。そして清浄化された空気は室内空間に供給されていくことになる。
【請求項３】
本発明装置は、冷房能力は第１に蒸発潜熱能力、第２にナノ微細粒子水（１ｎｍ〜１００ｎｍ）は臨界状態と同様な特殊な冷却熱特性を持っており、それは冷房効果として、蒸発潜熱の１／２位の能力があること。第３は従来と比較し冷凍機能力は約▲６０％削減された冷凍機を本装置に構築することにより、冷暖房機能と空気浄化能力機能を併せ持って構築形成することにより、本発明装置は空冷型屋外器不要とする、ナノ微細粒子水高機能型空調システムが大きな特徴となる。
【請求項４】
本発明装置のナノ微細粒子水高機能空調システムは、ナノ微細粒子水（１ｎｍ〜１０μｍ口径）の特徴である臨界状態特性・冷却熱特性・熱収支特性・物理特性等から特に冷房効果の高いエネルギー（蒸発潜熱及び臨界状態と同様の蒸発エネルギー）が得られることが実験等から実証することができた。また、空気浄化回収装置は所定空間に発生する粉塵・細菌・臭気・ＣＯ・ＣＯ２等の微細汚染物質にナノ微細粒子水が補足吸着し回収装置に取込まれ汚染水として除去することにより、所定空間が新鮮な清浄空間とすることが可能となった。
【請求項５】
本発明装置は、ナノ微細粒子水（１ｎｍ〜１０μｍ口径）の生成を可能とする、固有技術であることが大きな特徴である。
【請求項６】
本発明装置のナノ微細粒子水（１ｎｍ〜１０μｍ口径）の生成技術は給水管、給水高圧ポンプ、ノズル、球体を構築することにより、１ｎｍ〜１０μｍの粒子径の噴霧水が生成されることが本装置の大きな特徴である。
【請求項７】
本発明装置は天井高の高く仕切られた大空間における冷暖房時に発生する上部と床下部の温度差を大幅に減少させる方法、及びその装置はその空間に１ｎｍ〜１０ｕｍ口径のナノ微細水粒子を水煙状態で該大空間に噴霧することにより、空間全体にナノ微細粒子水が分子拡散運動効果により室内空間の全域に行きわたり、該ナノ微細粒子水と空気に含有する多種の物質と結合した状態の空気になることから、暖かい空気の上昇気流を大幅に抑制することにより、上下の温度差を生じさせない空間の状態をつくることが可能となる。該大空間に浮遊している粉塵等の微細汚染物を捉え、それらを装置に取り込んで吸着浄化し、ナノ微細粒子水の生成過程を経て、所定大空間に再度噴霧することで多くの所定大空間を常に新鮮な空気とした空間とし、合理的な方法により上下温度差のない空間とすることが可能となった。
【請求項８】
本発明装置は、冷暖房時に所定大空間において発生する大きな上下温度差は本装置により上昇気流を大幅に抑制することが可能となり、その効果により上下温度差が発生しない。居住域での温度設定（冬期１８℃から２２℃、夏期２６℃から２８℃）の状態で、上部に高い温度帯が停滞させない。この効果による空調にかかる電気エネルギーの消費量は従来と比較すると約▲２０〜▲５０％程度削減することが可能となることを大きな特徴とする装置である。
【発明の詳細な説明】
【技術分野】
【０００１】ヒートアイランドの原因は、人工排熱が代表的な要因と考えられる。民生用建物の冷暖房機の空冷型屋外器（「冷暖房屋外器」または「排熱装置」という。）から、大気に排出される排気熱（冷房時４０〜６０℃）により大気温度が上昇し、このことから、大都市における夏季熱環境のエネルギーが多く消費されることに繋がる悪循環をおこしていると言われている。本発明はナノ微細粒子水特有の冷却熱エネルギー特性と本発明装置の各機能要素機器における熱収支特性を利用し、ナノ微細粒子水空調システム装置に上記の冷暖房屋外器または、排熱装置を本発明装置に一体型に組み込むことにより、「冷暖房屋外器」または「排熱装置」を取止めること。及び、本発明装置の機能は冷暖房・空気浄化・加湿・換気不要・上下温度差解消等省エネルギーの機能を併せ持つことを可能とする装置に関するものである。
【背景技術】
【０００２】昔に比べてどの位気温が上がったのか、１９００年から２０００年にかけて、東京では３．０℃、全国平均では約１．０℃気温が上昇している。（新ヒートアイランド対策大綱では２０１３まで３．３℃上昇する。）日本政府が平成１６年３月に策定した値である、ヒートアイランドの環境への影響は次の８項目があげられる。▲１▼昼の気温が上昇する。２．６℃／１００年。▲２▼熱帯夜が５０日／年以上おきる。▲３▼エネルギー消費、気温感応度２００万ｋｗ／℃。▲４▼熱中症▲５▼集中豪雨、練馬区周辺。▲６▼経済への影響、天候デリバテブ。▲７▼生態影響、桜の開花時期の相違。▲８▼睡眠障害、疲労  東京と大阪対象。等々の上記の大きな８項目が取り上げられる。【０００３】国内の事務所ビルにおける、年間エネルギー消費量の内訳。冷暖房と空調換気動力を併せて約４９％、照明コンセントが約３３％、給湯その他が１８％である。（住宅建築省エネルギーハンドブック２００２年出典）上記の様にエネルギー消費の中で、特に大きな割合を占める空調エネルギー消費に対しての改善及び、革新的な新技術の開発が急務である。また、上記の課題を解決する革新的技術はいまだ開発されていない。【０００４】上記［０００３］に記載されている、冷暖房と空調換気動力の、そのエネルギーの内訳は、建物の外壁、ガラス等の熱損失に掛る消費エネルギー分が約３５％、換気による消費エネルギーは約４０％、空調システムから発生するエネルギーの損失分は２５％である、併せて１００％となる。上記空調システムから発生するエネルギー損失分とは上下の温度差によるエネルギー発生損失である、その該空間の空気が完全混合されないために生ずる熱損失である。また、換気による消費エネルギーとは。まず、該空間の人に酸素を供給することが必要である。これは、建築基準法にて定められている。この分は換気消費エネルギーの約１５％にも満たない。他の８５％は該所定空間に発生する、臭い・浮遊菌・粉塵等の除去処理に必要なエネルギーである。【０００５】本発明の、ナノ微細水粒子水高機能空調システム方式は従来システムとの消費量差異エネルギーは、臭い・浮遊菌・粉塵等の除去に必要な換気消費エネルギーの約▲３４％（換気消費エネルギー４０％×０．８５）と大きく削減される。また上下温度差（天井と床の温度差）及び該空間が完全混合されないために生ずる熱損失エネルギー約▲２５％と併せて合計▲５９％の空調消費エネルギーが削減されることになる。本発明装置のナノ微細粒子水高機能空調システム方式は、従来の空調消費エネルギーの約４１％程度となることである。【０００６】現在日本国内において社会問題化しているヒートアイランド現象は、冷暖房の屋外機・電気機器・自動車等の人間活動により排出される人工熱の増加である。また緑地・水面の減少と建築物・舗装面の増大による地表面の人工化により生じる近年都市に特有の環境問題となっている。これらの課題解決として、冷暖房屋外機から発生する顕熱抑制技術として、国・民間会社が取り組んでいる技術は、冷暖房屋外機の取入空気等の水噴霧等による顕熱の一部を抑制する技術であって、根本的な技術革新技術は開発されていないのが実状である【０００７】米海洋大気局（��ＯＡＡ）は２０１３年５月１０日、ハワイのマウナロア観測所で測定した大気中の二酸化炭素（ＣＯ２）の平均濃度が９日に１９５８年の観測開始から初めて４００ｐｐｍの大台を超え、最高値を記録したと発表した。同観測所のデータは大気の状態を正確に把握する世界の標準的指標。地球温暖化の深刻な被害を避けるためには、ＣＯ２を含む温室効果ガスの濃度を４５０ｐｐｍまでに抑える必要があるとされ、危険水準にまた一歩近づいた。国際社会では、温室効果ガス排出をめぐる京都議定書に代わる枠組み作りの交渉が続いているが、各国が大幅削減を受け入れるめどは立っていない。リベラルな科学者で組織する米国の憂慮する科学者連盟は一刻も早くＣＯ２排出を減らさないと、猛暑や爆風雨、干ばつなどの異常気象が状態化すると警告する声明を出した。【０００８】主要な温室効果ガスである二酸化炭素（ＣＯ２）は、かつては火山や土壌などから排出される一方で植物や海に吸収される。産業革命以降に化石燃料の使用に伴う人為的な排出が増えたため、大気中のＣＯ２濃度は約２８０ｐｐｍから４００ｐｐｍに迫るレベルまで急激に上昇した。濃度は常に変動しており、年間では排出量が吸収量を上回る春に最も高く、秋に低くなる。（ワシントン共同ＮＯＡＡによると、同観測所までは今月４日までの１週間に平均４００ｐｐｍを記録。濃度は５日以降に変動しながら上昇し、９日に４００ｐｐｍに達した。昨年の同時期は約３９７ｐｐｍあり１０年前の同時期は約３７９ｐｐｍだった。同観測所は標高３３９７メートルにあり、人間活動の影響を受けにくい。恒常的に４００ｐｐｍを超えることになれば、地球規模の温暖化が起きた５００万〜３００万年前の鮮新世と呼ばれる時期以来となる。昨年春は日本やアラスカなどで月平均濃度が４００ｐｐｍを超えたが、同観測所ではそれより低くとどまっていた。【０００９】また、気候変動に関する政府間パネル（ＩＰＣＣ）は、人為的な温室効果ガスの排出が急増した１８世紀後半の産業革命以降の気温上昇を２度以内に抑えるには、温室効果ガス濃度を４５０ｐｐｍまでに抑制する必要があると指摘している。産業革命前のＣＯ２濃度は約２８０ｐｐｍと推定されている。【００１０】従来の伝統的な冷暖房機は、空気浄化機能として、ろ過フィルター、プラズマクラスター等を装置に組み込み使用している。これは、空気中の汚れをフィルターに固定する方式である。従来の商品は、消臭・浮遊菌除去・上下温度差の解消・二酸化炭素ガス等の除去は従来装置及びフィルター構造においては不可能である。
【先行技術文献】
【特許文献】
【特許文献０１】なし
【非特許文献】
【非特許文献０１】「すいえんくん」ナノ微細粒子水空気浄化システム  天羽則博
【発明の概要】
【発明が解決しようとする課題】
【００１１】本発明は、ヒートアイランド現象の対策は喫緊の課題となっていることから本発明はその人工排熱の冷暖房空冷型屋外器から出される排気熱を不要とするナノ微細粒子水高機能空調システム装置である。ナノ微細粒子水高機能空調システムは、所定の空間に発生する臭い・浮遊菌・粉塵・その他有害物質・湿度・二酸化炭素・エチレンガス等をナノ微細粒子水に吸着捕捉させて除去回収する空気浄化装置機能を併せ持っている。また従来システムにおいて発生する、上下の温度差の解消技術及び換気エネルギーを殆ど必要としない事などから、従来装置の約▲５９％削減できる。本発明装置は上記記載のとおり、従来の冷凍機能力と比較し約▲５９％の能力で充分機能的に満足することができる、総合機能（冷暖房・省エネルギー・消臭・有害物質の除去等）を併せ持っている、ナノ微細粒子水高機能空調システムを提供するものである。
【課題を解決するための手段】
【００１２】本発明装置のナノ微細粒子水高機能空調システムは、主要機能毎に４段型に構成し、その１段の寸法は４５０ｍｍの立方体とすることを特徴とする。それは冷却コイルユニット・空気浄化回収装置・冷凍機排熱冷却水槽装置・冷凍機及び付属等を備えたユニット筺体とし、冷却コイルユニットは冷凍機蒸発コイル、給気ファンを内蔵し、空気浄化回収装置は空気吸込み室兼噴霧室、汚染空気沈殿槽を形成し、また冷凍機排熱冷却水槽装置は排熱が出る冷凍機凝縮コイルと冷却水槽からなる装置を形成している。空気浄化回収装置はナノ微細粒子水を空気吸込み室兼噴霧室にてノズル・給水管・被衝突球体にて構成され、該ナノ微細粒子を生成している。汚染空気は上記ナノ微細粒子水と共に、空気流通路を蛇行しながら流れ、浄化室にて清浄化される。そして汚染物質は汚染空気沈殿槽に汚染粒子水と共に溶解沈殿する。そして清浄化された空気は室内空間に供給されていくこととなる。冷凍機用排熱冷却水槽装置は、該空調負荷に併せて最適最小エネルギー化運転を可能にすることから、最小な冷凍機能力を装置に組込むことにより、当該の空調負荷に充分対応できることとなる。例えば冷房時は冷凍機凝縮器からは高温排熱が発生し、その熱処理は上記冷凍機用排熱冷却水槽装置にて行う。冷却方法は該冷凍機排熱冷却水槽装置内の水温を一定に保持しながら冷凍機を安定的に運転することが可能となる。該発明装置に供給される給水を使用し、その給水容量にて十分対応出来る事が本装置の特徴である。【００１３】空気浄化回収装置は、筐体の天井面に接する位置より垂下した空気流通用管制御用ベンチュリー隔壁１２ａ．１３ｂを該筐体の底板側に空気流通路が形成される空間を有して隔離形成し、該１２ａ．１３ｂの空気流通路制御用ベンチュリー隔壁間に該底板側となる汚染空気沈殿槽水面の位置より立ちあがった中間隔壁板を形成し、上記１２ａ．１３ｂの空気流通管制御用ベンチュリー隔壁によって上下方向に蛇行する空気流通路を形成してなる、ナノ微細粒子水高機能空調システムを特徴とする。【００１４】本発明装置は、冷房時に冷凍機から排熱される冷媒配管高圧側の温熱を冷却するために、冷凍機凝縮コイルは冷凍機排熱冷却水槽装置にて、冷凍機の負荷に応じて一定温度に制御される。本装置に使用される水は、給水管より引込みされ給水タンクに貯水する。そして高圧ポンプにて空気浄化装置に供給される。水は該空気浄化装置に使用された後に排水として冷凍機排熱冷却水槽装置に供給し、上記装置から排水は該装置水槽の温度に制御され冷凍機排熱冷却水槽ポンプにより定量を排水する。温度制御により給水量が不足する時は給水入口管より直接に該水槽に給水されることになる。冷凍機の冷媒高圧側排熱を本装置の水循環システムと併せて構築形成した、ナノ微細粒子水高機能空調システムを特徴とする。
【発明の効果】
【００１５】本発明装置の特徴は、第１の大きな点は、従来の空調装置は機能毎に分散されている。それは、冷暖房機・加湿器・空気浄化・換気装置等々の機能である。また第２に省エネルギーの点からは、上記記載の各機能が機能毎に分散していることの欠点から、総合的に多くの無駄なエネルギーが消費されていることになっている。また、第３に大きな点は、現状の空調装置に大きなエネルギーの損失が発生している、これは上下の大きな温度差が発生し居住空間に影響の受けない空間に多くのエネルギーを消費している。最後に第４の大きな点は、該第１，２，３の多くの課題を残していることが、過大な冷暖房空冷型屋外機を設けざる得ないことが実情である。本発明のナノ微細粒子水高機能空調システムは該第１．２．３．４．の課題を解決することを可能とすることが、大きな特徴システムである。【００１６】本発明装置の特徴は、従来の空調消費エネルギーは多くの損失エネルギーを占めており、本装置は従来冷房能力と比較し、約▲６０〜７５％と最適最小化された冷凍機能力容量にて空調品質を満足することを可能にした、ナノ微細粒子水高機能空調装置の大きな特徴とする装置である。【００１７】本発明装置のナノ水微細粒子水の冷房能力は、第１番に蒸発潜熱能力、第２番にナノ水は臨界状態と同様な特殊性を持っており、それは冷房効果として、蒸発潜熱の半分位の能力があること。第３は従来と比較し冷凍機能力は約▲６０％程度削減された冷凍機を本装置に構築することにより、冷暖房機能と空気浄化能力が合体された且つ、空冷型屋外器不要のナノ微細粒子水高機能型空調システムの、本発明装置が大きな特徴となる。【００１８】空気浄化回収装置は、筐体の天井面に接する位置より垂下した空気流通用管制御用ベンチュリー隔壁１２ａ．１３ｂを該筐体の底板側に空気流通路が形成される空間を有して隔離形成し、該１２ａ．１３ｂの空気流通路制御用ベンチュリー隔壁間に該底板側となる汚染空気沈殿槽水面の位置より立ちあがった中間隔壁板を形成し、上記１２ａ．１３ｂの空気流通管制御用ベンチュリー隔壁によって上下方向に蛇行する空気流通路を形成してなる、ナノ微細粒子水高機能空調システムを特徴とする。【００１９】本発明は、冷房時に冷凍機から排熱される冷媒配管高圧側の温熱を冷却するために、冷凍機排熱冷却水槽装置にて冷凍機の負荷に応じて冷凍機凝縮コイルは一定温度に制御される。本装置に使用される水は、給水管より引込みされ給水タンクに貯水する。そして高圧ポンプを経由して空気浄化回収装置に供給される。水は該空気浄化回収装置に供給されたのち、汚染空気沈殿槽経由し排水として冷凍機排熱冷却水槽装置に供給する。該上記装置から排水は該装置水槽の任意の温度に制御され冷凍機排熱冷却水槽ポンプにより定量を定時的に排水する。温度制御により給水量が不足する時は給水入口管より直接に該水槽に給水されることになる。冷凍機冷媒配管高圧側排熱を本装置の水循環システムと併せて構築形成した、ナノ微細粒子水高機能空調システムを特徴とする。【００２０】本発明装置は、ナノ微細粒子水高機能空調システムにナノ微細粒子水１ｎｍ〜１０μｍ口径の熱エネルギー特性を装置に構築することである。該特徴は、臨界状態特性・���特性・熱収支特性・物理特性等から特に冷房効果の高いエネルギー（蒸発潜熱及び臨界状態と同様の蒸発エネルギー）が得られることが実験等から実証することができている。また、空気浄化回収装置は所定空間に発生する粉塵・細菌・臭気・ＣＯ・ＣＯ２等の微細汚染物質にナノ微細粒子水が補足吸着し回収装置に取込まれ汚染水として除去することにより、所定空間が新鮮な清浄空間とすることが可能となった。及び本発明装置のナノ微細粒子水高機能空調システムは、従来の空調方式と消費エネルギー比較は、換気損失分＋上下温度差解消等の効果から従来比約▲６０％少ないエネルギーで運転出来ることが実証された。これらにより本発明装置は冷凍機の空冷型屋外機を不要とするナノ微細粒子水高機能空調システムを実現することが可能となった。【００２１】従来の冷凍機の空冷型屋外機はヒートアイランド現象の、特に人工排熱の中で占める割合が約５０％位あると言われている。本発明装置により▲５０％以上の削減が可能であることが考えられる。【００２２】国内の、建物所有者は空調による大幅な節電対策を求められている。又民間用建物の年間全体の水・光熱費に占める空調にかかるエネルギーの電気代は、全体の５０％前後を占めているのが実情である。本発明装置による削減効果は全体の約▲３０％に及ぶ効果が得られることが可能となる。【００２３】本発明装置は、建物の冷暖房時に発生する、室内空間の天井上部と床部分との温度差（例えば６ｍの天井高さは約６度の上下温度差が発生する）がおきる。その大きな要因は暖かい空気の密度が温度の低い空気と比較し小さい為に暖かい空気の上昇気流が発生し室内空間の天井上部と床部分の温度差が大きく発生する。これらの課題を解決するために、ナノ微細粒子水（１ｎｍ〜１０μｍ口径）を所定の室内空間に噴霧しそのナノ微細水粒子水は該空間を約マッハ１〜２位の速度で分子拡散移動する、その該空間をナノ微細水が充満することになる。その充満する過程において、ナノ微細水が各々にナノ水の分子間結合力が働き、その結果空間全域に分子間結合されたナノ微細水が張り巡らされた空間が生まれる。その結果、空間全域の天井部分と床部の空間の相対するポイントにおいても計測により天井と床部の温度差が０．５℃以内の範囲に収まり、温度差が殆ど生じない空間が実証される。且つ空調消費エネルギーを大きく削減することが可能となった。【００２４】本発明のナノ微細粒子水高機能空調システムは、所定空間に１ｎｍ〜１０μｍの微細粒子水を水煙状態で噴霧することにより、所定空間に浮遊している微細汚染物質を補足吸着して、それらの汚染物質を空気浄化装置に取込んで除去し、その汚染物質が除去された新鮮な空気と共に上記ナノ微細粒子水を該所定空間に再度噴霧することで、所定空間を常に新鮮な空間とすることが可能となった。【００２５】従来の空気浄化システムは、空間全域に空気がゆきわたることは無く効果に  課題があった。しかし、機器周辺の空間浄化は可能であった。本発明装置はナノ微細粒子水１ｎｍ〜１０μｍの粒子口径である。特に水分子レベルの粒子口径は水分子の移動速度がマッハ１〜２であることから、分子レベルの物理化学の特性により大きな拡散効果から空間全域の空気浄化が可��となった。【００２６】上記の空間全域の浄化が可能となったことと、又所定空間の温度湿度が均一になることから、空気浄化速度が速い効果とあわせて空気品質が格段と向上することを確認した。このことから、給水槽に取り入れる装置に使用される水をそれに含まれている塵埃及び水分内の不溶性物質及び菌等を本装置に構築することにより、無菌室の原理原則である、該無菌室への菌等の持ち込みを防ぐことになり、無菌室及びクリーンルームへと用途が拡大することが可能となった。【００２７】また、該室内空間の汚染空気中の微細汚染物質の除去と新鮮なナノ微細粒子水の噴霧と循環させて行うことができるので、喫煙所や工場及び作業現場の一酸化炭素・粉塵・臭気等の常時微細汚染物質を発生する所定空間においても常に新鮮な空間を得ることが出来、且つ作業員の身にとって快適な環境を得ることが可能となった。
【図面の簡単な説明】
【図１】本発明のナノ微細粒子水高機能空調システムを実施するための装置概念図である。
【図２】空間汚染物質の除去計測データ。
【図３】空気の上昇気流をおこさせない計測データ。
【発明を実施するための形態】
以下、図面を参考に本発明を実施するための最良の形態について、その実施例に沿って説明する。以下、本発明の実施の形態を図面に基づき実施例に沿って説明する。
【００２８】本発明装置のナノ微細粒子水高機能空調システムの構成は、冷却コイルユニット２．空気浄化回収装置７．冷凍機排熱冷却水槽装置２８．冷凍機２４．給水タンク２２．等を備えたユニット筺体とする。冷却コイルユニット２．は冷凍機蒸発コイル４．給気ファン３．を内蔵する。また、空気浄化回収装置７．は空気取入れファン８．空気吸込み室兼噴霧室９．空気浄化室１１．汚染空気沈殿槽１０．を形成し、また冷凍機排熱冷却水槽装置２８．は排熱が出る冷凍機凝縮コイル２９．と冷却水槽３３．からなる装置を形成している。空気浄化回収装置７．はナノ微細粒子水を空気吸込み室兼噴霧室９．にて第１ノズル１７．第１給水管１９．被衝突球体１８．にて構成し、該ナノ微細粒子水を生成している。室内汚染空気３２．は上記ナノ微細粒子水と共に、空気流通路１５．空気流通制御用ベンチュリー隔壁１２ａ．１３ｂ及び空気制御用中間隔壁１４．空気浄化室１１．を蛇行しながら該空間を経由し、空気は清浄化される。そして空気に含有する汚染物質は汚染空気沈殿槽１０．に汚染粒子水と共に溶解沈殿する。そして清浄化された空気は室内空間に供給されていくこととなる。
【００２９】本発明の空気浄化回収装置７．は筐体の天井面に接する位置より垂下した空気流通用管制御用ベンチュリー隔壁１２ａ．１３ｂを該筐体の底板側に空気流通路が形成される空間を有して隔離形成し、該１２ａ．１３ｂの空気流通路制御用ベンチュリー隔壁間に該底板側となる汚染空気沈殿槽水面の位置より立ちあがった中間隔壁板１４．を形成し、上記１２ａ．１３ｂの空気流通管制御用ベンチュリー隔壁によって上下方向に蛇行する空気流通路を形成してなる、ナノ微細粒子水高機能空調システムを特徴とする。
【００３０】本発明装置は、冷房時に冷凍機から排熱される冷媒配管高圧側の温熱を冷却するために、冷凍機排熱冷却水槽装置にて水槽内温度は冷凍機凝縮コイルの負荷に応じて一定温度に制御される。本装置に使用される水は、給水管より引込みし給水タンクに貯水する。そして高圧ポンプを経由して空気浄化回収装置に供給される。水は該空気浄化装置に使用された後に排水として冷凍機排熱冷却水槽装置に供給し、上記該装置から排水は該装置水槽の任意の温度に制御され冷凍機排熱冷却水槽ポンプによりある一定量を排水する。水槽の温度制御により給水量が不足する時は給水入口管より直接に該水槽に給水されることになる。冷凍機排熱を本装置の水循環システムに形成、構築した、ナノ微細粒子水高機能空調システムを特徴とする。
【産業上の利用可能性】
【００３１】本発明装置は、冷暖房機屋外器から発熱される人工排熱によるヒートアイランド現象は国内国外ともに、二酸化炭素発生の大きな要因となっている。この要因は喫緊の課題である。本発明は冷暖房空冷型屋外器から排出される排気熱を不要とする。且つ空調消費エネルギーを大幅に削減できるナノ微細粒子水高機能空調システム装置である。該空調システムの特長は、所定の空間に発生する臭い・浮遊菌・粉塵・二酸化炭素・エチレンガス等をナノ微細粒子水に吸着捕捉させて除去回収する空気浄化装置機能を併せ持っている。また従来システムにおいて発生する、上下の温度差の解消技術及び換気エネルギーを殆ど必要としない事などから、従来装置の約▲５９％の電気代を削減できる、総合的にエネルギー革命を担うトータルの機能を持っている。需要先は、住宅、病院福祉、事務所、商業施設、文教施設等々の民生部門と産業部門の特に半導体工場等の施設がある。国内は基より全世界に高いニーズがあると考える。
【符号の説明】  ▲１▼  全体図  ナノ微細粒子水高機能空調システム概要図
▲２▼  冷却コイルユニット
▲３▼  給気ファン
▲４▼  冷凍機蒸発コイル
▲５▼  室内空気吸込み口
▲６▼  冷温風出口
▲７▼  空気浄化回収装置
▲８▼  空気取入れファン
▲９▼  空気吸込み室兼噴霧室
▲１０▼  汚染空気沈殿槽
▲１１▼  空気浄化室
▲１２▼  空気流通制御用ベンチュリー隔壁ａ
▲１３▼  空気流通制御用ベンチュリー隔壁ｂ
▲１４▼  空気制御用中間隔壁
▲１５▼  空気流通路
▲１６▼  清浄化空気
▲１７▼  第１ノズル
▲１８▼  被衝突球体
▲１９▼  第１給水管
▲２０▼  汚染水管
▲２１▼  高圧ポンプ
▲２２▼  給水タンク
▲２３▼  給水入口管
▲２４▼  冷凍機
▲２５▼  冷媒配管高圧側
▲２６▼  冷媒配管低圧側
▲２７▼  冷媒用３方弁
▲２８▼  冷凍機排熱冷却水槽装置
▲２９▼  冷凍機凝縮コイル
▲３０▼  冷凍機排熱冷却用排水ポンプ
▲３１▼  同上用排水管出口菅
▲３２▼  室内汚染空気
▲３３▼  冷却水槽
【図１】
2018204934.tif 000002
【図２】
2018204934.tif 000003
【図３】
2018204934.tif 000004